(57)【要約】 【課題】外径の異なる光ケーブルに対しても、簡便な作業で防水性を維持することのできる光ケーブル用クロージャを提供する。【解決手段】光ケーブル用クロージャ１は、固定端面部４１を備えた内部ユニット４０と、内部ユニット４０を覆うスリーブ５０と、光ケーブル１０を外部から導入するための導入孔４２を備え、固定端面部４１は、内部壁４１４と、内壁部４１４に対して所定の間隔を空けて対向する外壁部４１５とを備え、光ケーブル１０には内壁部４１４と外部壁４１５の間に嵌め込まれるシール部材６０が取り付けられており、シール部材６０は、導入孔４２よりも大きな外径を有しており、固定端面部４２にシール部材６０を嵌め込む際、シール部材６０の一側面が内壁部４１４の外側面に密着し、シール部材６０の他側面が外壁部４１５の内側面に密着する。【選択図】図１
2010243714.tif 000002
【特許請求の範囲】
【請求項１】
固定端面部を備えた内部ユニットと、
前記内部ユニットを覆うスリーブと、
光ケーブルを外部から前記内部ユニット内に導入するための導入孔と、を備えた光ケーブル用クロージャであって、
前記固定端面部は、内部壁と、該内壁部に対して所定の間隔を空けて対向する外壁部とを備え、
前記光ケーブルには前記内壁部と前記外部壁の間に嵌め込まれるシール部材が取り付けられており、
前記シール部材は、前記導入孔よりも大きな外径を有しており、
前記固定端面部に前記シール部材を嵌め込む際、前記シール部材の一側面が前記内壁部の外側面に密着し、前記シール部材の他側面が前記外壁部の内側面に密着することを特徴とする光ケーブル用クロージャ。
【請求項２】
前記導入孔は、前記固定端面部に形成された切欠溝を組み合わせることにより形成されていることを特徴とする請求項１に記載の光ケーブル用クロージャ。
【請求項３】
前記導入孔は、前記固定端面部に形成された切欠溝と、前記スリーブの前記切欠溝に対向する位置に備えられたリブを組み合わせることにより形成されていることを特徴とする請求項１に記載の光ケーブル用クロージャ。
【請求項４】
前記内部ユニットは、前記光ケーブルを把持する把持部を備え、
前記把持部は、一対の把持部材からなり、一方は位置が固定されており、他方は移動可能であることを特徴とする請求項１〜３のいずれか１項に記載の光ケーブル用クロージャ。
【発明の詳細な説明】
【技術分野】
【０００１】
本発明は、光ケーブル用クロージャに関する。
【背景技術】
【０００２】
従来より、光ケーブルの接続部の収納に光ケーブル用クロージャが用いられている。
光ケーブル用クロージャは、主に、端面板を備えた内部ユニットと、内部ユニットを覆うスリーブとからなり、端面板には、光ケーブルを外部から導入するための導入孔が備えられている。この導入孔に光ケーブルを配置することで、当該光ケーブルがクロージャ内部に引き込まれる。
ところで、クロージャ内は防水性を確保する必要がある。クロージャ内の防水性を確保する方法として、例えば、光ケーブルにシール用部材を取り付け、このシール用部材の外周面と、端面板に形成された光ケーブル導入孔である切欠溝の内周面とが当接するように光ケーブルを設置することで切欠溝と光ケーブルとの隙間を埋める方法が開示されている（例えば特許文献１参照）。
【先行技術文献】
【特許文献】
【０００３】
【特許文献１】特開２００７−２４０７６０号公報
【発明の概要】
【発明が解決しようとする課題】
【０００４】
ところで、光ケーブル用クロージャには、外径の異なる様々な光ケーブルが導入される。このため、特許文献１のように切欠溝とシール用部材とが密着するように、光ケーブルにシール用部材を取り付けるには煩雑な作業が要求されていた。
本発明は、上記に鑑みてなされたものであって、外径の異なる光ケーブルに対しても、簡便な作業で防水性を確保することのできる光ケーブル用クロージャを提供することを目的とする。
【課題を解決するための手段】
【０００５】
以上の課題を解決するため、請求項に１記載の発明に係る光ケーブル用クロージャは、
固定端面部を備えた内部ユニットと、
前記内部ユニットを覆うスリーブと、
光ケーブルを外部から前記内部ユニット内に導入するための導入孔と、を備えた光ケーブル用クロージャであって、
前記固定端面部は、内部壁と、該内壁部に対して所定の間隔を空けて対向する外壁部とを備え、
前記光ケーブルには前記内壁部と前記外部壁の間に嵌め込まれるシール部材が取り付けられており、
前記シール部材は、前記導入孔よりも大きな外径を有しており、
前記固定端面部に前記シール部材を嵌め込む際、前記シール部材の一側面が前記内壁部の外側面に密着し、前記シール部材の他側面が前記外壁部の内側面に密着することを特徴とする光ケーブル用クロージャ。
【０００６】
請求項２に記載の発明は、請求項１に記載の光ケーブル用クロージャにおいて、
前記導入孔は、前記固定端面部に形成された切欠溝を組み合わせることにより形成されていることを特徴としている。
【０００７】
請求項３に記載の発明は、請求項１に記載の光ケーブル用クロージャにおいて、
前記導入孔は、前記固定端面部に形成された切欠溝と、前記スリーブの前記切欠溝に対向する位置に備えられたリブを組み合わせることにより形成されていることを特徴としている。
【０００８】
請求項４に記載の発明は、請求項１〜３のいずれか一項に記載の光ケーブル用クロージャにおいて、
前記内部ユニットは、前記光ケーブルを把持する把持部を備え、
前記把持部は、一対の把持部材からなり、一方は位置が固定されており、他方は移動可能であることを特徴としている。
【発明の効果】
【０００９】
本発明によれば、外径の異なる光ケーブルに対しても、簡便な作業で防水性を維持することのできる光ケーブル用クロージャが提供される。
【図面の簡単な説明】
【００１０】
【図１】第１の実施の形態に係る光ケーブル用クロージャの概略構成を模式的に示す分解斜視図である。
【図２】第１の実施の形態に係る光ケーブル用クロージャに光ケーブルが配置された状態を示す説明図であり、（ａ）は正面図、（ｂ）は側面図である。
【図３】第１の実施の形態に係る光ケーブル用クロージャの固定端面部の概略構成を示す斜視図である。
【図４】光ケーブルに取り付けられるシール部材の一例を示す斜視図である。
【図５】光ケーブルに取り付けられるシール部材の別の一例を示す斜視図である。
【図６】把持部の概略構成を示す説明図であり、（ａ）は上面図、（ｂ）は正面図、（ｃ）は側面図である。
【図７】第２の実施の形態に係る光ケーブル用クロージャに光ケーブルが配置された状態を示す説明図であり、（ａ）は正面図、（ｂ）は側面図である。
【発明を実施するための形態】
【００１１】
以下に、本発明を実施するための最良の形態について図面を用いて説明する。なお、この実施の形態によりこの発明が限定されるものではない。
【００１２】
（第１の実施の形態）
図１は、第１の実施の形態に係る光ケーブル用クロージャの概略構成を模式的に示す分解斜視図である。また、図２は、本実施形態に係る光ケーブル用クロージャに光ケーブルが配置された状態を示す説明図であり、（ａ）は正面図、（ｂ）は側面図である。
図１に示すように、光ケーブル用クロージャ１は、内部ユニット４０と、内部ユニット４０を覆うスリーブ５０とを備え、光ケーブル１０（図２参照）を外部から導入するための光ケーブル導入孔４２を有する。
【００１３】
ここで、内部ユニット４０とは、図１に例示するように光ケーブル用クロージャからスリーブ５０のみを取り除いた部分を指し、少なくとも固定端面部４１を備えている。また、図１および図２に示すように、この実施の形態においては、内部ユニット４０は、固定端面部４１に加えて、光ケーブル１０から引き出した光ファイバ１１の接続部および光ファイバ１１の余長部を収容する光ファイバトレイ２０と、光ファイバトレイ２０を支持するフレーム３０とを備える。
【００１４】
固定端面部４１は、フレーム３０の両端部に設置され、内部ユニット４０の内部に引き込まれる光ケーブル１０を固定する。また、フレーム３０の両側には光ケーブル１０の外被を固定する把持部３２とテンションメンバ１２を固定するテンションメンバ固定部３３とが備えられている。なお、テンションメンバ固定部３３に代えてスロット把持具を用いることもできる。
すなわち、フレーム３０には、外側から内側にかけて、固定端面部４１、把持部３２、テンションメンバ固定部３３、光ファイバトレイ２０という順にこれらが配列され、固定されている。
【００１５】
図３は、固定端面部４１の概略構成を示す斜視図である。図３に示すように、固定端面部４１には、ヒンジ４３が設けられており、ヒンジ４３を中心に固定端面部４１が２つに開放されるよう分割面４１６が形成されている。この分割面４１６は、光ケーブル導入孔４２の略中心を通過するよう形成されており、ヒンジ４３を中心に分割面４１６で分割することにより、光ケーブル１０を光ケーブル導入孔４２に配置できる構造としている。なお、図３においては、固定端面部４１が開放された状態を示している。
【００１６】
以下、固定端面部４１に光ケーブル１０を固定する方法についてさらに詳細に説明する。
固定端面部４１には、内壁部４１１と、内壁部４１１に対して所定の間隔を空けて対向する外壁部４１２と、内壁部４１１と外壁部４１２を連結し、固定端面部４１の外周を囲う連結壁部４１３とが設けられている。図示は省略するものの連結部４１３には、外部と連通する水抜き孔が形成されている。内壁部４１１の対向する分割面４１６には、第一切欠溝４１４，４１４がそれぞれ形成されており、分割面４１６を当接させ、固定端面部４１を閉じると、第一切欠溝４１４，４１４により光ケーブル導入孔４２が形成される。同様にして、外壁部４１２の第一切欠溝４１４，４１４と略同位置の分割面４１６には、第二切欠溝４１５，４１５がそれぞれ形成されており、分割面４１６を当接させ、固定端面部４１を閉じると、第二切欠溝４１５，４１５により光ケーブル導入孔４２が形成される。このようにして、内壁部４１１、外壁部４１２の略同位置にそれぞれ光ケーブル導入孔４２が形成される。なお、第一切欠溝４１４と第二切欠溝４１５は略同サイズである。
なお、光ケーブル導入孔４２は、光ケーブル用クロージャ１に収容する光ケーブルの外径と比して同等以上の内径とする。
【００１７】
一方、光ケーブル用クロージャ１に取り付けられる光ケーブル１０には、内壁部４１１と外壁部４１２の間に嵌め込まれるシール部材６０が取り付けられている。図４及び図５はシール部材６０の一例を示す斜視図である。シール部材６０は、光ケーブル導入孔４２の内径よりも、外径の大きな円筒形状に形成される。
また、シール部材６０の幅Ｈは、内壁部４１１と外壁部４１２との間隔Ｈ１よりも大きく設定されている。これにより、シール部材６０の一側面６３が内壁部４１１の外側面４１１ｃに、シール部材６０の他側面６４が外壁部４１２の内側面４１２ｃに密着し、クロージャ内の防水性が確保される。
【００１８】
図４に示すシール部材６０Ａは、ゴムやスポンジなどの弾性体を筒状に形成し、その内径部６１に光ケーブル１０を貫通し、取り付けたものである。なお、光ケーブル１０にシール部材６０Ａを取り付ける際には、内径部６１に光ケーブル１０を挿通させるだけでなく、図４の点線部のような内径部６１まで連続するスリット６２をシール部材６０Ａに形成しておき、このスリット６２を介して内径部６１に光ケーブル１０を取り付けるようにしてもよい。なお、内径部６１の内径は、光ケーブル用クロージャ１に収容する光ケーブルの外径と比して同等以下の内径となるように形成されている。これにより、自らの弾性復帰力でシール部材６０Ａが光ケーブルに固定されることになる。なお、光ケーブル用クロージャ１内の防水性をより確実に確保するために、シール部材６０Ａを光ケーブル１０に固定した後、スリット６２にシール剤を塗布してスリット６２を封止することがより好ましい。
【００１９】
一方、図５に示すシール部材６０Ｂは、光ケーブル１０に、テープ状の前記弾性体を所定の外径となるまで巻き付けることで形成されたものである。シール部材６０Ｂは隙間が開かないように巻き付ければよい。また、巻き終わりをテープなどで固定するか若しくは粘着テープやシール剤を塗布して隙間を充填してもよい。
【００２０】
ここで、光ケーブル用クロージャ１には外径の異なる様々な光ケーブルが導入される。しかしながら、この実施の形態のようにシール部材６０を、光ケーブル導入孔４２の内径よりも外径の大きな円筒形状に形成し、シール部材６０の一側面６３が内壁部４１１の外側面４１１ｃに、シール部材６０の他側面６４が外壁部４１２の内側面４１２ｃに密着するように光ケーブル１０を配置することで、異なる外径の光ケーブル１０を収容したとしても、シール部材６０の大きさを調整する必要がなく、容易にシール部材６０と固定端面部４１との密着状態は確保される。
【００２１】
図６は、把持部３２の概略構成を示す説明図であり、（ａ）は上面図、（ｂ）は正面図、（ｃ）は側面図である。図２に示すように把持部３２には、光ケーブル１０を支持する光ケーブル支持部３２１と、光ケーブル支持部３２１に光ケーブル１０を固定するためのネジ３２２とが設けられている。光ケーブル支持部３２１は、底板３２３と、天板３２４と、これらの中央で両者を連結する連結片３２５とを有する。底板３２３には、光ケーブル１０を位置決めするための一対の凹部３２７が形成されている。つまり、底板３２３の上面が光ケーブル１０を支持する載置面となる。また、天板３２４には、凹部３２７に対向する位置に一対のネジ孔３２６が形成されている。このネジ孔３２６にネジ３２２を螺入し、螺合位置を調整することで、ネジ３２２が光ケーブル支持部３２１の載置面に対して接離自在となる。そして、載置面で支持された光ケーブル１０を把持するまでネジ３２２を締めれば、光ケーブル１０が固定される。ネジ３２２の下端部には、光ケーブル１０の外被に食い込む爪部３２８が取り付けられており、この爪部３２８により光ケーブル１０を強固に把持することができるようになっている。
なお、このとき、光ケーブル支持部３２１の載置面は、光ケーブル導入孔４２の下端と、略同高さとなるように位置決めされている。
【００２２】
通常、光ケーブル用クロージャ１に導入される光ケーブル１０に不要な歪がかからないようにするために、光ケーブル１０の断面中心と光ケーブル１０の把持中心とがおおよそ一致するように調整し、光ケーブル１０を把持する。これを実現するために、把持部３２は、一対の把持部材からなり、その両方を移動可能とし、把持中心を光ケーブルの断面中心に合わせることができるようになっている。しかしながら、両方の把持部材を調整して、光ケーブルの断面中心と光ケーブルの把持中心を合わせるのは困難であり、煩雑な作業が必要であった。
【００２３】
この実施の形態のようにシール部材６０を、光ケーブル導入孔４２の内径よりも外径の大きな円筒形状に形成し、シール部材６０の一側面６３が内壁部４１１の外側面４１１ｃに、シール部材６０の他側面６４が外壁部４１２の内側面４１２ｃに密着するように光ケーブル１０を配置した場合、把持中心に合わせて光ケーブル１０中心を移動させることができる。したがって、前述したように、一対の把持部材（光ケーブル支持部３２１及びネジ３２２）の一方（光ケーブル支持部３２１）を固定し、もう一方（ネジ３２２）のみ移動可能とし、片側の把持部材のみを移動させることで光ケーブル１０を把持した場合においても、把持中心に合わせて、光ケーブル１０中心を移動させることができ、歪がかからないように光ケーブル１０を把持することができる。これにより、光ケーブル１０を把持する作業が容易となり、把持部材として複雑な部品も不要となる。
【００２４】
一方、スリーブ５０は、図１、図２に示すように、上板５１と、上板５１に対して折り畳み自在に連続する一対の側板５２と、一対の側板５２のそれぞれの下端から内側に向けて直角に折り曲げられて連続する一対の下板５３とを有する。スリーブ５０が内部ユニット４０を覆う際には、これらの上方を上板５１が覆い、側方を側板５２が覆い、下方を下板５３が覆うことになる。ここで、一対の下板５３には、図示しない係止具が設けられており、内部ユニット４０を覆った後に係止具で係止することで、スリーブ５０が固定されることになる。
また、スリーブ５０には、周方向に沿って形成された一対の起立壁５５ａ，５５ｂが設けられている。一対の起立壁５５ａ，５５ｂのうち、外側の起立壁５５ａは、固定端面部４１における外壁部４１２の外側表面の周縁に配置される。一方、内側の起立壁５５ｂは、固定端面部４１における内壁部４１１内側表面の周縁に配置される。
【００２５】
（第２の実施の形態）
図７は、本実施形態２に係る光ケーブル用クロージャの概略構成を示す説明図であり、（ａ）は正面図、（ｂ）は側面図である。なお、以下の説明において、第１の実施の形態と同一の部分は、同一の符号を付してその説明を省略する。
【００２６】
図７に示すように、この固定端面部４１ａには、内壁部４１１ａと、内壁部４１１ａに対して所定の間隔を空けて対向する外壁部４１２ａと、内壁部４１１ａと外壁部４１２ａを連結する連結壁部４１３ａとが設けられている。内壁部４１１ａには、外周部から内側に向けて凹む第一切欠溝４１４ａが、外壁部４１２ａには、第一切欠溝４１４ａと略同位置に同サイズの第二切欠溝４１５ａが形成されている。また、第一切欠溝４１４ａ、第二切欠溝４１５ａが形成されていない外周部（図７では上下部）には連結壁部４１３ａが形成されている。
【００２７】
また、スリーブ５０ａの一対の側板５２における第一切欠溝４１４ａ、第二切欠溝４１５ａに対向する部分には、一対のリブ５７ａ，５７ｂが形成されている。この一対のリブ５７ａ，５７ｂは、一対の起立壁５５ａ，５５ｂの間に配置されていて、凹部５８ａ，５８ｂが形成されている。スリーブ５０ａを光ケーブル用クロージャに取り付けると、第一切欠溝４１４ａ及び第二切欠溝４１５ａと凹部５８ａ，５８ｂにより、光ケーブル導入孔４２が形成される。このとき、第１の実施の形態と同様に光ケーブル導入孔４２は、光ケーブル用クロージャ１に収容する光ケーブルの外径と比して同等以上の外径となるように形成されている。また、光ケーブル導入孔４２の下面は、光ケーブル支持部３２１の載置面と、略同高さとなるように位置決めされている。
【００２８】
一方、第１の実施の形態と同様に光ケーブル用クロージャ１に取り付けられる光ケーブル１０には、内壁部４１１ａと外壁部４１２ａの間に嵌め込まれるシール部材６０が取り付けられている。シール部材６０は、光ケーブル導入孔４２の内径よりも、外径の大きな円筒形状に形成される。また、シール部材６０の幅Ｈは、内壁部４１１ａと外壁部４１２ａとの間隔Ｈ１よりも大きく設定されている。これにより、シール部材６０の一側面６３が内壁部４１１ａの外側面４１１ｃに、シール部材６０の他側面６４が外壁部４１２ａの内側面４１２ｃに密着し、クロージャ内の防水性が確保される。
なお、一対のリブ５７ａ，５７ｂは、シール部材６０と内壁部４１１ａ、およびシール部材６０と外壁部４１２ａとの間にそれぞれ挿入され、外側のリブ５７ａは、シール部材６０の外側表面に、内側のリブ５７ｂは、シール部材６０の内側表面にそれぞれ密着する。
【００２９】
この実施形態によれば、固定端面部４１ａに切欠溝を設け、これにシール部材を備えた光ケーブル１０を設置し、スリーブ５０ａを設置するだけで、光ケーブル１０を固定することができる。すなわち、固定端面部４１ａを２分割して、光ケーブル１０を挟み込む作業が不要となり、より容易に光ケーブル１０を固定できる。
また、光ケーブル導入孔４２を固定端面部４１ａとスリーブ５０ａで形成することにより、固定端面部４１ａを最小限の大きさにすることができ、光ケーブル用クロージャ全体を小型化することができる。
また、第１の実施の形態と同様にして、把持中心に合わせて光ケーブル１０中心を移動させることができるため、光ケーブル１０を把持する作業が容易となり、把持部材として複雑な部品も不要となる。
【００３０】
なお、本発明は上記実施形態に限らず適宜変更可能である。
例えば、本実施形態では、内壁部４１１と外壁部４１２に形成される切欠溝４１４，４１５が同サイズである場合を例示したが、両者のサイズが異なる場合には、サイズの大きい方の切欠溝よりもシール部材６０のサイズが大きくなるようにしておけば、固定端面部４１にシール部材６０を確実に密着させることができ、防水性を確保することが可能である。
【符号の説明】
【００３１】
１      光ケーブル用クロージャ
１０      光ケーブル
１１      光ファイバ
１２      テンションメンバ
２０      光ファイバトレイ
３０      フレーム
３２      把持部
４０      内部ユニット
４１      固定端面部
４２      光ケーブル導入孔（導入孔）
５０      スリーブ
５７ａ，５７ｂ    リブ
６０      シール部材
６３      一側面
６４      他側面
３２１      光ケーブル支持部（把持部材）
３２２      ネジ（把持部材）
４１１      内壁部
４１１ｃ    外側面
４１２      外壁部
４１２ｃ    内側面
４１３      連結壁部
４１４      第一切欠溝
４１５      第二切欠溝
【図１】
2010243714.tif 000003
【図２】
2010243714.tif 000004
【図３】
2010243714.tif 000005
【図４】
2010243714.tif 000006
【図５】
2010243714.tif 000007
【図６】
2010243714.tif 000008
【図７】
2010243714.tif 000009